(57)【要約】【課題】  騒音に必要音が重畳されて車内側に到来する場合において、車内防音を効果的に図りつつも必要音は有効に聞き取ることができ、しかも、必要音の音源側インフラ整備等が不要であり、必要音の種別によらず効果を享受できる車内騒音抑制システムを提供する。【解決手段】  車内騒音抑制システム１Ｂは、車内の騒音を抑制する騒音抑制手段１０と、車外音のうち、搭乗者が車内にて積極的に聞き取るべき予め種別の定められた必要音成分を、該車外音から抽出する必要車外音抽出手段５３と、抽出された必要車外音を、騒音抑制手段により抑制された騒音レベルに対し相対的に強調し、強調音として車内に取り込む必要車外音強調手段５５とを有する。【選択図】    図６
2006023587.tif 000002
【特許請求の範囲】
【請求項１】
車内の騒音を抑制する騒音抑制手段と、
車外音のうち、搭乗者が車内にて積極的に聞き取るべき予め種別の定められた必要音成分を、該車外音から抽出する必要車外音抽出手段と、
抽出された必要車外音を、前記騒音抑制手段により抑制された騒音レベルに対し相対的に強調し、強調音として車内に取り込む必要車外音強調手段と、
を有したことを特徴とする車内騒音抑制システム。
【請求項２】
前記必要車外音は、緊急車両のサイレン音、踏み切り警報器音、後続車のクラクション音及び人の叫び声の少なくともいずれかを含むものである請求項１記載の車内騒音抑制システム。
【請求項３】
前記必要車外音抽出手段は、車外音に対する検知感度が車内音に対する検知感度よりも高められた車外音検知マイクと、該車外音検知マイクの入力波形のうち、前記必要音成分を優先的に通過させる必要音抽出フィルタとを有する請求項１又は請求項２に記載の車内騒音抑制システム。
【請求項４】
前記必要車外音強調手段は、前記必要音抽出フィルタを通過後の前記必要音波形を増幅する必要音波形増幅部と、増幅後の必要車外音波形を前記強調音として車内に出力する強調音出力スピーカとを有する請求項３記載の車内騒音抑制システム。
【請求項５】
前記騒音抑制手段は、前記車両に設けられた防音壁部を含む請求項３記載の車内騒音抑制システム。
【請求項６】
前記騒音抑制手段は、車内に侵入する騒音を検出する車内騒音検出マイクと、
前記車内騒音検出マイクが検出する騒音波形と逆位相の騒音制御用波形を合成する騒音制御用波形合成部と、
前記騒音制御用波形合成部からの前記騒音制御用波形を騒音制御用音波として出力する騒音制御用スピーカと、を有する能動的騒音制御機構を含む請求項１ないし請求項５のいずれか１項に記載の車内騒音抑制システム。
【請求項７】
前記能動的騒音制御機構は、前記騒音制御用音波が重畳後の前記車内音に含まれる消し残し騒音成分を検出するエラー検出マイクと、前記消し残し騒音のレベルが縮小する方向にフィルタ係数が調整される適応フィルタとを有し、
前記適応フィルタに前記車内騒音検出マイクが検出する車内音波形を通過させ、前記騒音制御用波形合成部は、前記車内音波形の該適応フィルタの通過成分を逆相変換して前記騒音制御用波形を合成するものである請求項６記載の車内騒音抑制システム。
【請求項８】
前記必要車外音抽出手段は、前記車外音から前記必要車外音成分を抽出する必要音抽出フィルタを有し、
前記能動的騒音制御機構は、前記エラー検出マイクの入力波形と、前記必要音抽出フィルタからの入力波形との差分波形を演算する差分波形演算手段を有し、前記適応フィルタは、該差分波形のレベルが縮小する方向に前記フィルタ係数が調整される請求項７記載の車内騒音抑制システム。
【請求項９】
前記能動的騒音制御機構は、前記エラー検出マイクの入力波形と、車内に搭載されたオーディオ装置の出力音波形との差分波形演算手段を有し、前記適応フィルタは、該差分波形のレベルが縮小する方向に前記フィルタ係数が調整される請求項７又は請求項８に記載の車内騒音抑制システム。
【請求項１０】
前記必要車外音強調手段は、一定レベル以上の前記必要車外音成分が検出された場合に、車内に搭載されたオーディオ装置のスピーカ出力音量を低下させる車外音用オーディオミューティング機構を有する請求項９記載の車内騒音抑制システム。
【発明の詳細な説明】
【技術分野】
【０００１】
この発明は、自動車などの乗り物において、車内の騒音を抑制する車内騒音抑制システムに関する。
【背景技術】
【０００２】
【特許文献１】特公平７−８９４００号公報
【０００３】
近年、自動車を始めとする車両の居住性向上のため、車内防音が様々な角度から講じられている。単純な方法としては、車両の壁部や窓を防音構造にする等の方法があるが、近年では、デジタル音響技術の発達により、車内騒音をマイクで検出し、該マイクが検出する騒音波形と逆位相の騒音制御用波形を合成して車内のスピーカから出力することにより騒音を打ち消す、いわゆる能動的騒音抑制技術（あるいは音響ノイズキャンセラ）の採用も検討されている。
【発明の開示】
【発明が解決しようとする課題】
【０００４】
しかし、上記のような手法により車内の防音性が向上すればするほど、車両外にて発生する音波は、それが騒音であろうと必要音であろうと、一律に抑制された車内に伝達されてしまうことになる。その結果、例えば、図８に示すように、救急車、消防車あるいはパトカーなどの緊急車両のサイレン音や踏み切りの警報器音、危険遭遇した人の叫び声や、後続車のクラクションなど、運転者や搭乗者が本来聞き取るべき必要音が著しく減殺されて聞き取り難くなってしまう弊害を生ずる。
【０００５】
特許文献１には、緊急車両側と周囲の一般車両とに警報用の電波通信装置を搭載し、一般車両側では緊急車両からの警報音を音波によっても検知して、誤動作の少ない警報カンチシステムを構築する技術が開示されている。しかし、この技術は、緊急車両と一般車との双方に電波通信装置を設けなければならず、インフラ整備に費用と時間を要するために、早急な普及を見込むことができない問題がある。また、緊急車両以外の必要音（踏み切りの警報器音や、電波装置を搭載しない一般車両のクラクション音、人の叫び声など）には対応できないのも大きな問題である。
【０００６】
本発明の課題は、騒音に必要音が重畳されて車内側に到来する場合において、車内防音を効果的に図りつつも必要音は有効に聞き取ることができ、しかも、必要音の音源側インフラ整備等が不要であり、必要音の種別によらず効果を享受できる車内騒音抑制システムを提供することにある。
【課題を解決するための手段及び作用・効果】
【０００７】
上記課題を解決するために、本発明の車内騒音抑制システムは、
車内の騒音を抑制する騒音抑制手段と、
車外音のうち、搭乗者が車内にて積極的に聞き取るべき予め種別の定められた必要音成分を、該車外音から抽出する必要車外音抽出手段と、
抽出された必要車外音を、騒音抑制手段により抑制された騒音レベルに対し相対的に強調し、強調音として車内に取り込む必要車外音強調手段と、を有したことを特徴とする。
【０００８】
上記本発明においては、車内の騒音を抑制しつつも、車外音のうち搭乗者が車内にて積極的に聞き取るべき予め種別の定められた必要音成分については、必要車外音抽出手段により該車外音から抽出し、その抽出された必要車外音を、騒音抑制手段により抑制された騒音レベルに対し相対的に強調して強調音として車内に取り込むようにした。その結果、車内防音を効果的に図りつつも必要音は有効に聞き取ることができるようになる。また、必要車外音抽出手段と必要車外音強調手段とが、いずれも車内騒音抑制の対象車側に設けられるので、例えば緊急車両など必要音の音源となる側のインフラ整備等が全く不要であり、抽出すべき必要車外音として選定しておきさえすれば、該必要音の種別によらず、これを問題なく強調音として車内に取り込むことができる。さらに、車外音のうち、必要車外音抽出手段が抽出しなかった通常の車外騒音（例えばすれ違いの車両音や風切り音、車外から回り込んでくる自車のエンジン音や路面音などは）は車内への取り込みが抑制されるので、車内騒音抑制状態を維持することができる。
【０００９】
必要車外音は、例えば、緊急車両のサイレン音とすることで、該緊急車両の通行を妨げることが効果的に防止でき、また、踏み切り警報器音、後続車のクラクション音及び人の叫び声などを選定すると、危険認識に有効活用することができる。必要車外音は、これらの少なくとも１つを含むものとすることができるが、また、これらに限定されるものでもない。
【００１０】
必要車外音抽出手段は、車外音に対する検知感度が車内音に対する検知感度よりも高められた車外音検知マイクと、該車外音検知マイクの入力波形のうち、必要音成分を優先的に通過させる必要音抽出フィルタとを有するものとして構成できる。これにより車外音を車内音と区別して検知することができ、これに含まれる必要音を効果的に抽出することができる。
【００１１】
この場合、必要車外音強調手段は、必要音抽出フィルタを通過後の必要音波形を増幅する必要音波形増幅部と、増幅後の必要車外音波形を強調音として車内に出力する強調音出力スピーカとを有するものとして構成できる。車外音のうち、抽出された必要音を増幅して強調音出力スピーカから出力することで、これを車内音に対して効果的に強調することができる。この場合、騒音抑制手段は、車両に設けられた防音壁部を含むものとすることができる。防音壁部を設けると、通常は車外音が一律に遮断されてしまうのであるが、上記構成と組み合わせることで、車外の必要音だけは、車外音検知マイクと必要音抽出フィルタとをいわば音響ウィンドウとする形で、防音壁部により外部から音響的に隔離された車内にも効果的に取り込むことができる。
【００１２】
一方、騒音抑制手段は、車内に侵入する騒音を検出する車内騒音検出マイクと、
車内騒音検出マイクが検出する騒音波形と逆位相の騒音制御用波形を合成する騒音制御用波形合成部と、
騒音制御用波形合成部からの騒音制御用波形を騒音制御用音波として出力する騒音制御用スピーカと、を有する能動的騒音制御機構を含むものとして構成することもできる。この方法であると、車内騒音は騒音制御用波形により音響的にキャンセルされるので、音壁部をそれほど重厚としなくても（あるいは省略しても）、車内の騒音レベルを容易に低減することができる。
【００１３】
能動的騒音制御機構は、騒音制御用音波が重畳後の車内音に含まれる消し残し騒音成分を検出するエラー検出マイクと、消し残し騒音のレベルが縮小する方向にフィルタ係数が調整される適応フィルタとを有するものとして構成できる。この場合、適応フィルタに車内騒音検出マイクが検出する車内音波形を通過させ、騒音制御用波形合成部は、車内音波形の該適応フィルタの通過成分を逆相変換して騒音制御用波形を合成する。騒音成分抽出用のフィルタを、エラー検出マイクを用いて検出される消し残し騒音をフィードバック情報とする形でフィルタ係数が更新される適応フィルタとすることで、特に定常的な騒音成分（例えばエンジン音や路面音、あるいは風切り音など）を有効に抑制することができる。
【００１４】
この場合、車外音から必要車外音成分を抽出する必要音抽出フィルタを設け、能動的騒音制御機構を、エラー検出マイクの入力波形と、必要音抽出フィルタからの入力波形との差分波形を演算する差分波形演算手段を有し、適応フィルタを、該差分波形のレベルが縮小する方向にフィルタ係数が調整されるものとして構成することができる。従来の能動的騒音制御機構では、車内に漏れこんでくる車外音も車内騒音検出マイクにより同様に検出され、適応フィルタ通過後、騒音制御用波形に逆相音として組み込まれて相殺される。従って、車外音に含まれる必要音も同様に相殺されてしまい聞き取り難くなる。しかし、上記の構成では、エラー検出マイクの入力波形と、必要音抽出フィルタからの入力波形との差分波形を演算し、適応フィルタのフィルタ係数を、該差分波形のレベルが縮小する方向に調整するようにしたから、必要音成分だけは騒音制御用波形に組み込まれなくなり、相殺されずに車内に取り込まれる。その結果、適応フィルタを通過したそれ以外の騒音成分は相殺されてレベルが低下し、結果として必要音成分を、減衰した騒音レベルに対して相対的に強調することができる（必要車外音強調手段の機能が実現していることが明らかである）。特に、前述の必要音波形増幅部と強調音出力スピーカとを設ける場合は、スピーカ出力された強調音が、能動的騒音制御機構により再び減衰することを効果的に抑制でき、必要車外音をますます聞き取りやすくすることができる。
【００１５】
なお、車内にて前記の車外必要音以外に消したくない音成分としては、例えば車内に搭載されたオーディオ装置の出力音がある。この場合、能動的騒音制御機構は、エラー検出マイクの入力波形と、車内に搭載されたオーディオ装置の出力音波形との差分波形演算手段を有するものとして構成でき、適応フィルタは、該差分波形のレベルが縮小する方向にフィルタ係数が調整されるものとして構成することができる。これにより、車内にて聴取中のオーディオ音のレベルが、能動的騒音制御機構の動作により減殺される不具合を抑制できる。その結果、音楽などのオーディオ音を騒音に邪魔されずに楽しめるようになり、また、音楽等を聞き取りやすくするためにむやみに音量を上げたりする不具合も低減されるから、前述の車外必要音がオーディオ音にかき消されて聞き取りづらくなる問題も起こり難くなる。この効果は、必要車外音強調手段を、一定レベル以上の必要車外音成分が検出された場合に、車内に搭載されたオーディオ装置のスピーカ出力音量を低下させる車外音用オーディオミューティング機構を有するものとして構成すると、一層高めることができる。なお、オーディオ装置の出力波形は、車内のオーディオスピーカーからの出力をマイクで拾ってもよいし、スピーカへの入力電流波形を検出するようにしてもよい。
【発明を実施するための最良の形態】
【００１６】
（実施形態１）
以下、本発明の種々の実施形態を、添付の図面を用いて詳しく説明する。
図１に示すように、自動車４００には車内騒音抑制システム１Ａが設けられ、騒音抑制手段として防音壁部４０１が設けられている。防音壁部４０１の構造は周知のものであり、例えば、金属板により中空に構成された車体の内部を、発泡樹脂やゴムなどの防振材料で充填することにより構成できる。また、窓４０２も必要に応じて二重中空窓などの防音構造とすることができる。また、車外音抽出手段は、車外音に対する検知感度が車内音に対する検知感度よりも高められた車外音検知マイク５１と、該車外音検知マイク５１の入力波形のうち、必要音成分を優先的に通過させる必要音抽出フィルタ５３とを有するものとして構成されている。車外音検知マイク５１は、周知の指向性マイクにて構成でき、音検知の指向性の強い角度域が車外方向を向き、指向性の弱い角度域が車内方向を向くように取り付けられている。本実施形態では、マイク５１の全体が車外に出るように取り付けられているが、指向性の弱い角度域が車内側に位置し、指向性の強い角度域のみが車外に出るように、車内と車外とにまたがって取り付けることも可能である。
【００１７】
必要音抽出フィルタ５３は、ＤＳＰ（Digital Signal Processor）を用いて構成されたデジタル適応フィルタとして構成されている。図１０は、そのフィルタ係数の設定処理の流れを示す概念的なフローチャートの一例を示す。緊急車両（救急車、消防車、パトカーなど）のサイレン音、踏み切り警報器音、後続車のクラクション音、ホイッスル音、人間の叫び声（子供の泣き声や女性の叫び声など）を、注意ないし危険認識すべき必要音（車内にて強調すべき音なので、以下、「強調音」ともいう）として定め、それらのサンプル音をディスク等に記録して、読み取り再生可能な参照強調音データとしてライブラリー化しておく。そして、フィルタ係数に適当な初期値を与え、Ｓ５１で、車外音検知マイク５１による強調音検出レベルを初期値に設定する。次いで、Ｓ５２で参照強調音の選択番号ＥＲを初期化し、Ｓ５３で番号ＥＲの参照強調音を読み出して出力し、車外音検知マイク５１により検出する。そして、Ｓ５５では、適応フィルタの通過波形を読み取り、参照強調音として通過できた波形のレベルを測定する。Ｓ５６では、この検知レベルが目標値に達したかどうかを調べ、達していなければＳ５７に進み、フィルタ係数を更新してＳ５５に戻り、以下、Ｓ５６及びＳ５７の処理を繰り返す。Ｓ５６で検知レベルが目標値に達していれば、次の参照強調音を選択し、Ｓ５３以下の処理を繰り返す。このようにして、参照強調音を次々と取り替えて、通過波形の検知レベルが最適化されるよう、フィルタ係数を学習処理すれば、種々の参照強調音に対して通過特性が適正化されたデジタルフィルタとして利用できる。この場合、同じ系統の必要音（強調音：例えばサイレン音）でも、音質の異なるものを複数繰り返し学習させることで、強調音の選択精度を高めることができる。また、一度学習が終わった強調音についても、他の強調音の学習を挟みながら反復して学習させることも、同様の観点において有効である。
【００１８】
車外音検知マイク５１にて検出された車外音の波形は、必要音抽出フィルタ５３により上記の必要音が抽出され、Ｄ／Ａ変換後、アンプ（必要音波形増幅部）１０４にて増幅され、車内の随所に設けられた強調音出力スピーカ５５から出力される。必要音抽出フィルタ５３により抽出されなかった通常の車外騒音（例えばすれ違いの車両音や風切り音、車外から回り込んでくる自車のエンジン音や路面音などは）は、防音壁部４０１により車内に取り込まれることが抑制される。そして、抽出された必要音は、増幅して強調音出力スピーカ５５から出力されるので、防音壁部４０１によりレベルが減じられた車内騒音に対して、これを効果的に強調することができ、ひいては搭乗者に聞き取りやすくすることができる。
【００１９】
なお、車両内の位置によって車外音の聞こえ方や位相には差があり、強調された必要音を、搭乗者がリアルに聞き取ることができるよう、搭乗者の座席別に複数の強調音出力スピーカ５５が設けられており、各々車外の対応する位置に設置された車外音検知マイク５１に接続されている。
【００２０】
（実施形態２）
図２の車内騒音抑制システム１Ｂは、騒音抑制手段を、能動的騒音制御機構を含むものとして構成した例を示す機能ブロック図である。該車内騒音抑制システム１Ｂの要部は、騒音抑制手段をなす能動的騒音制御機構（音響ノイズキャンセラ）１０と、必要車外音強調部（手段）５０とを含む。能動的騒音制御機構１０は、車内に侵入する騒音を検出する車内騒音検出マイク（ノイズ検知マイク）１１と、車内騒音検出マイク１１が検出する騒音波形と逆位相の騒音制御用波形を合成する騒音制御用波形合成部（制御音発生部）１５とを有する。騒音制御用波形は騒音制御用スピーカ１８から出力される。また、騒音制御用音波が重畳後の車内音に含まれる消し残し騒音成分を検出するエラー検出マイク１２と、消し残し騒音のレベルが縮小する方向にフィルタ係数が調整される適応フィルタ１４も設けられている。
【００２１】
車両自身に音源を有する車内騒音としては、エンジン音、路面音、風切り音などがあり、図３に示すように、車内騒音検出マイク１１は、複数個のものが、個別の車内騒音の検知に適した位置に分散配置されている。例えば、エンジン音及び路面音の検知用として、エンジンルームやタイヤに近い床面上にマイク１１が配置され、また、風切り音は、窓寄りに配置されたマイク１１にて検知される。
【００２２】
車内騒音検出マイク１１は、搭乗者Ｊから見てそれぞれ違う位置にあり、マイク１１が拾う位置での騒音波形と、搭乗者Ｊが実際に聞く騒音波形との間には少なからぬ位相差がある。そこで、この位相差を合せこむために、図２に示すように、車内騒音検出マイク１１の検知波形は適宜、位相調整部１３を介して制御音発生部１５に与えられる。
【００２３】
次に、必要車外音強調部５０は、図１のシステムと同様、強調音検知マイク５１及び必要音抽出フィルタ５３を含んで構成され、その必要音の抽出波形が制御音発生部１５に与えられる。ここでも、車内騒音検出マイク１１と同様の事情により、位相調整部５２が適宜設けられる。
【００２４】
なお、風切り音用のマイク１１は、対向車や後続車の騒音（エンジン音や路面音、すれ違い風切り音など）などの車外騒音も結果的に検知するものとなる。従って、これを車外音検知マイク５１に兼用させることもできる。また、本実施形態では、カーステレオなどの車内オーディオ機器が設けられ、そのオーディオ入力が車内必要音音源１９として利用されるようになっている。このオーディオ機器のスピーカ出力音（スピーカは騒音制御用スピーカ１８と兼用してもよいし、別途設けてもよい）は、騒音制御用波形が重畳されても相殺されないように制御される。
【００２５】
図４は、図２の機能ブロック図に対応したハードウェアブロック図の一例を示すものである。第一ＤＳＰ１００は騒音制御用波形合成部（制御音発生部）１５及び適応フィルタ１４（さらには位相調整部１３）を構成するものであり、車内騒音検出マイク１１がマイクアンプ１０１及びＡ／Ｄ変換器１０２を介して、また、騒音制御用スピーカ１８がＤ／Ａ変換器１０３及びアンプ１０４を介してそれぞれ接続されている。他方、第二ＤＳＰ２００は、抑制すべき騒音成分の抽出部を構成するものであり、車内騒音検出マイク１１がマイクアンプ１０１及びＡ／Ｄ変換器１０２を介して、また、オーディオ入力など抑制対象外の音声信号源、すなわち必要音音源１９がＡ／Ｄ変換器１０２を介してそれぞれ接続されている。
【００２６】
必要車外音強調部５０は、必要音抽出フィルタ５３として機能する第三ＤＳＰ３００を有し、車外音検知マイク（強調音検知マイク）５１がマイクアンプ１０１及びＡ／Ｄ変換器１０２を介して接続されている。そして、第三ＤＳＰ３００は、図１０に示す流れの処理によりフィルタ係数が設定されたデジタルフィルタとして、車外音検知マイク５１からの入力波形から必要音を抽出し、その抽出強調音波形を第二ＤＳＰ２００に転送する。第二ＤＳＰ２００は、車内騒音検出マイク１１の検知波形から、必要音音源１９からの入力波形と、第三ＤＳＰ３００からの抽出強調音波形を差分演算する。
【００２７】
第一ＤＳＰ１００に組み込まれるデジタル適応フィルタのフィルタ係数は、システムの使用に先立って初期化が行われる。図８は、そのフィルタ係数の設定処理の流れを示す概念的なフローチャートの一例を示す。まず、抑制対象となる種々の騒音を定め、それらのサンプル音をディスク等に録音して、再生可能な参照騒音としてライブラリー化しておく。本実施形態では、
(1)低速走行時（例えば２０ｋｍ／ｈまで：あるいはアイドリング時）のエンジン音；
(2)良路（舗装道路）上を中速（例えば５０ｋｍ／ｈまで）走行したときのエンジン音と路面音；
(3)(2)で高速走行（例えば１４０ｋｍ／ｈまで）したときの、風切り音がさらに加わった状態；
(4)悪路（非舗装道路）上を中速（例えば５０ｋｍ／ｈまで）走行したときのエンジン音と路面音；
(5)後続車のエンジン音；
(6)すれ違い車のエンジン音及び風切り音；
などが参照騒音として定められている。
【００２８】
そして、Ｓ１でフィルタ係数に適当な初期値を与え、Ｓ２で、エラー検出マイク１２による消し残し騒音レベルを初期値に設定する。次いで、Ｓ３で参照騒音の選択番号ＮＲを初期化し、Ｓ４で番号ＥＲの参照騒音を読み出して出力し、車内騒音検出マイク１１により検出する。そして、Ｓ５で制御波形の合成処理となる。この処理では、まず、適応フィルタを通過した車内騒音検出マイク１１（図２、図４）の検出波形を読み取り、これを高速フーリエ変換することにより、騒音検出波形を、各々波長の異なる正弦波素波に分解する。そして、各正弦波素波の位相を反転させた反転素波を生成し、これを再度合成することにより、騒音検出波形と逆位相の騒音制御用波形が得られる。これを騒音制御用スピーカ１８（図２、図４）から出力する。
【００２９】
適応フィルタの係数が適性に定められていれば、車内騒音検出マイク１１の波形からは騒音成分だけが効率良く抽出されているはずなので、これに基づいて逆相合成された騒音制御用波形により車内騒音を過不足なく相殺することができる。しかし、フィルタ係数の設定が適性でなければ相殺されない波形成分が消し残し騒音成分となって生ずる。これは、エラー検出マイク１２により検出される。初期設定は前述の必要音が存在しない状況下で行われるので、Ｓ６で該エラー検出マイク１２の検出出力から騒音のレベルが読み取られ、記憶される。
【００３０】
Ｓ７では、消し残し騒音成分のレベルが目標値と比較され、目標値以下になっていなければＳ８に進んでフィルタ係数を更新し、その後Ｓ５に戻り、以下、Ｓ６、Ｓ７及びＳ８の処理を繰り返す。Ｓ７で消し残し騒音成分のレベルが目標値以下になっていれば、次の参照騒音を選択し、Ｓ４以下の処理を繰り返す。このようにして、参照騒音を次々と取り替えて、消し残し騒音成分が最小化されるよう、フィルタ係数を学習処理させる。この学習処理を行うことで、実使用時における適応フィルタのフィルタ係数収束速度を大幅に向上することができる。
【００３１】
以上で初期設定が終わり、図９は実使用時の処理の流れを示すものである。適応フィルタが上記初期設定状態でも、ある程度騒音抑制効果は期待できるが、本実施形態では、消し残し騒音成分を定常的にモニタリングし、常時これが最小化されるようにフィルタ係数をリアルタイム更新する処理が採用されている。まず、既にフィルタ係数が初期化済みなので、Ｓ３２で図８のＳ５と同一の処理により騒音制御用波形を合成し、Ｓ３３で消し残し騒音レベルを検出する。先にも説明したごとく、エラー検出マイク１２は、実使用時には車外からの必要音（強調音）やオーディオ音など、消したくない音波成分も一緒に拾うことになるが、Ｓ３８，Ｓ３９のごとく、これは第三ＤＳＰ３００（図４）での波形差分演算処理にて予め取り除かれ、本来消したい音波成分である消し残し騒音成分が抽出される。
【００３２】
そして、Ｓ３４で、消し残し騒音成分のレベルが目標値と比較され、目標値以下になっていなければＳ３５に進んでフィルタ係数を更新し、その後Ｓ３２に戻り、以下、Ｓ３３、Ｓ３４及びＳ３５の処理を、処理中断が指令されない限り間断なく繰り返す。エラー検出マイク１２を設け、さらにその検出出力から差分演算により指定された必要音が予め取り除かれることで、その指定された必要音以外の音波成分は、基本的には全て区別なく、消したい騒音成分として処理上は認識されることになる。その結果、図８中に列挙した騒音成分のほか、車内騒音検出マイク１１と騒音制御用スピーカ１８との音響結合に由来したエコーやハウリングなども同時に相殺・除去することができる。さらに、繰り返し処理により、短い時間区間（例えば１ｍｓ以上５００ｍｓ以下）に区切ってフィルタ係数を絶えず更新することで、エンジン音や路面音などの定常的な騒音だけでなく、すれ違いノイズなどの短時間騒音成分も、その区切られた時間区間内では定常騒音とみなすことができ、問題なく消去することができる。
【００３３】
（実施形態３）
図５、図６及び図７の車内騒音抑制システム１Ｃは、実施形態１の車内騒音抑制システム１Ａ（図１）と、実施形態２の車内騒音抑制システム１Ｂ（図２，図３）とを互いに組み合わせたものである。従って、既に説明済みの部分には共通の符号を付与するのみとし、相違点について主に説明する。図１と同様の、車外音検知マイク５１と、必要音抽出フィルタ５３とを有する車外音抽出手段のほか、図２及び図４で説明した能動的騒音抑制機構（ノイズキャンセラ）が設けられている。
【００３４】
図６に示すように、必要車外音強調部（手段）５０は図２とほぼ同じ構成であるが、その抽出された強調音波形は、強調音用アンプ５４にも分配され、強調音出力スピーカ５５から出力されるようになっている。図７に示すように、強調音波形の出力は第三ＤＳＰ３００から分岐出力され、Ｄ／Ａ変換器１０３を介して強調音出力スピーカ５５から出力される。本実施形態では、強調音出力スピーカ５５はオーディオ出力用のスピーカにも兼用されている。なお、騒音制御用スピーカ１８を強調音出力用あるいはオーディオ出力用のスピーカに兼用することも可能である。図７においては、破線で示すように、アナログの強調音波形及びオーディオ入力を、騒音制御用スピーカ１８のアンプ１０４に重畳入力することで、騒音制御用スピーカ１８からの出力を可能としている。
【００３５】
また、図６に戻り、本システム１Ｃにおいては、一定レベル以上の必要車外音成分が検出された場合に、車内に搭載されたオーディオ装置のスピーカ（別途、スピーカ６０として設けているが、上記のごとく、強調音用のスピーカ５５や騒音制御用スピーカ１８もオーディオ用に流用できる）からの出力音量を低下させる車外音用オーディオミューティング機構が設けられている。すなわち、必要音抽出フィルタ５３からの必要音の抽出レベルが閾値以上となったか否かがレベル判定部５７で判定される。そして、閾値以上の場合には、オーディオ入力を受けるボリュームコントローラ５８が、オーディオ出力の音量を一定以下に下げてミューティングし、車外必要音（強調音）を聞き取りやすくする。なお、オーディオ装置の出力は、オーディオスピーカーからの出力をマイクで拾うようにしてもよい。
【図面の簡単な説明】
【００３６】
【図１】本発明の車内騒音抑制システムの第一実施形態を示す平面概念図。
【図２】本発明の車内騒音抑制システムの第二実施形態を示す機能ブロック図。
【図３】車内のマイク取り付け位置の一例を示す説明図。
【図４】図２の車内騒音抑制システムのハードウェア構成の一例を示すブロック図。
【図５】本発明の車内騒音抑制システムの第三実施形態を示す平面概念図。
【図６】同じく機能ブロック図。
【図７】同じくハードウェア構成の一例を示すブロック図。
【図８】能動的騒音抑制機構の適応フィルタの初期設定処理の一例を示すフローチャート。
【図９】能動的騒音抑制機構を用いた本発明の車内騒音抑制システムの、騒音抑制処理の一例を示すフローチャート。
【図１０】必要車外音強調部における適応フィルタのフィルタ係数適正化処理の一例を示すフローチャート。
【図１１】従来の車内騒音抑制システムの問題点を示す図。
【符号の説明】
【００３７】
１Ａ，１Ｂ，１Ｃ  車内騒音抑制システム
１０  能動的騒音制御機構（騒音抑制手段）
１１  車内騒音検出マイク
１２  エラー検出マイク
１４  適応フィルタ
１５  騒音制御用波形合成部（制御音発生部）
１８  制御用スピーカ（制御音発生部）
５１  車外音検知マイク
５３  必要音抽出フィルタ
１００  自動車
４０１  防音壁部（騒音抑制手段）
【図１】
2006023587.tif 000003
【図２】
2006023587.tif 000004
【図３】
2006023587.tif 000005
【図４】
2006023587.tif 000006
【図５】
2006023587.tif 000007
【図６】
2006023587.tif 000008
【図７】
2006023587.tif 000009
【図８】
2006023587.tif 000010
【図９】
2006023587.tif 000011
【図１０】
2006023587.tif 000012
【図１１】
2006023587.tif 000013